(57)【要約】【課題】入浴やシャワー後等において確実に身体を覆うことができるタオルを提供する。【解決手段】タオル地によって形成され使用者が着用するための着用タオル１０である。使用者の首部を一巡して着脱可能に環状となる首部取り付け部２０と、着用タオル１０が使用者の胴部の前部を覆うとともに、当該胴部を一巡して、その左右の両端部が着脱可能に結合される結合部３０とを有する。着用タオル１０の全体の形状はほぼ菱形状の正方形状をしており、首部取り付け部２０は、着用タオル１０の上端部において孔状に形成されており、結合部３０は、ほぼ菱形状の正方形状の全体形状の左右の両端部に形成されている。着用タオル１０のおもて面はガーゼであり、裏面にはパイルが形成されている。【選択図】図１Ａ
0003215292.tif 000002
【実用新案登録請求の範囲】
【請求項１】
タオル地によって形成され使用者が着用するための着用タオルであって、
使用者の首部を一巡して着脱可能に環状となる首部取り付け部と、
当該着用タオルが使用者の胴部の前部を覆うとともに、当該胴部を一巡して、その左右の両端部が着脱可能に結合される結合部と
を有する、着用タオル。
【請求項２】
請求項１に記載の着用タオルであって、
全体の形状がほぼ菱形状をなし、
その上端部に前記首部取り付け部が形成され、
その左右の両端部に前記結合部が形成されている、
着用タオル。
【請求項３】
請求項２に記載の着用タオルであって、
前記首部取り付け部は、当該着用タオルの上端部において孔状に形成されている、
着用タオル。
【請求項４】
請求項２又は請求項３に記載の着用タオルであって、
全体の形状がほぼ正方形状をしている、
着用タオル。
【請求項５】
請求項１〜請求項４のいずれかに記載の着用タオルであって、
そのおもて面はガーゼであり、その裏面にはパイルが形成されている、
着用タオル。
【考案の詳細な説明】
【技術分野】
【０００１】
本考案は、入浴後等において好適に使用することができるタオルに関するものである。
【背景技術】
【０００２】
入浴やシャワー後等において、身体（裸体）を覆うとともに、身体に付着した水分を吸収させるために、一般的にはバスタオルが使用されている。
バスタオルは長方形状をしており、身体に巻き付けるとともに、その一部を他の部分と身体との間の隙間に挿入する等して、バスタオルで身体を覆いつつ、バスタオルを身体に保持している。
【０００３】
しかしながら、上述のようにバスタオルを身体に保持するのは煩雑であるとともに、不意にバスタオルが外れて落下するおそれもある。
【０００４】
なお、本考案に関連する先行技術として、特許文献１に記載されているものがある。
【先行技術文献】
【特許文献】
【０００５】
【特許文献１】実願平０６−０００３６５号公報
【考案の概要】
【考案が解決しようとする課題】
【０００６】
本考案は、入浴やシャワー後等において、確実に身体を覆うことができるタオルを提供することを課題とする。
【課題を解決するための手段】
【０００７】
この課題を解決するために、請求項１に係る考案は、タオル地によって形成され使用者が着用するための着用タオルであって、使用者の首部を一巡して着脱可能に環状となる首部取り付け部と、当該着用タオルが使用者の胴部の前部を覆うとともに、当該胴部を一巡して、その左右の両端部が着脱可能に結合される結合部とを有する、着用タオルである。
【０００８】
この考案の着用タオルは、首部取り付け部において使用者の首部を一巡して当該首部に対して取り付けられ、使用者の胴部の前部を覆うとともに、結合部において、使用者の胴部を一巡して、その左右の両端部が結合される。
こうして、この着用タオルが使用者の身体から外れることが防止され、着用タオルが使用者の身体を覆った状態で、確実に身体に保持される。
【０００９】
請求項２に係る考案は、請求項１に係る考案の着用タオルであって、全体の形状がほぼ菱形状をなし、その上端部に前記首部取り付け部が形成され、その左右の両端部に前記結合部が形成されている、着用タオルである。
【００１０】
この考案の着用タオルでは、請求項１に係る考案の着用タオルの作用効果に加えて、次の作用効果が得られる。
すなわち、この着用タオルでは、全体の形状がほぼ菱形状をなし、その上端部に首部取り付け部が形成され、その左右の両端部に結合部が形成されているため、ほぼ菱形状という美しい形状を呈しつつ、請求項１に係る発明の作用効果が確実に得られる。
【００１１】
請求項３に係る考案は、請求項２に係る考案の着用タオルであって、前記首部取り付け部は、当該着用タオルの上端部において孔状に形成されている、着用タオルである。
【００１２】
この考案の着用タオルでは、請求項２に係る考案の着用タオルの作用効果に加えて、次の作用効果が得られる。
すなわち、この着用タオルでは、首部取り付け部が着用タオルの上端部において孔状に形成されているため、ほぼ菱形状をなすという美しい全体の形状を維持しつつ、首部取り付け部が形成され、請求項２に係る発明の作用効果が確実に得られる。
【００１３】
請求項４に係る考案は、請求項２又は請求項３に係る考案の着用タオルであって、全体の形状がほぼ正方形状をしている、着用タオルである。
【００１４】
この考案の着用タオルでは、請求項１又は請求項２に係る考案の着用タオルの作用効果に加えて、次の作用効果が得られる。
すなわち、この着用タオルは、全体の形状がほぼ菱形状の中でもほぼ正方形状をしているため、非使用時において折りたたむ際には、すっきりと長方形状又は正方形状になり、携帯するにも便利である。
【００１５】
請求項５に係る考案は、請求項１〜請求項４のいずれかに係る考案の着用タオルであって、そのおもて面はガーゼであり、その裏面にはパイルが形成されている、着用タオルである。
【００１６】
この考案の着用タオルでは、請求項１〜請求項４のいずれかに係る考案の着用タオルの作用効果に加えて、次の作用効果が得られる。
すなわち、この着用タオルの裏面にはパイルが形成されているため、使用者の身体に付着している水分が効率良く吸収される。また、この着用タオルのおもて面がガーゼであるため、その着用状態で乳幼児を抱いた際に、乳幼児に対して優しい肌触りが得られる。
【図面の簡単な説明】
【００１７】
【図１Ａ】本考案の一実施例の着用タオルを示す正面図である。
【図１Ｂ】本考案の一実施例の着用タオルを示す背面図である。
【図２】本考案の一実施例の着用タオルの一部を示す拡大正面図である。
【図３Ａ】本考案の一実施例の着用タオルの一使用方法を示す正面図である。
【図３Ｂ】本考案の一実施例の着用タオルの一使用方法を示す背面図である。
【考案を実施するための形態】
【００１８】
次に、本考案の一実施例について図面に基づいて説明する。
この実施例の着用タオル１０はほぼ正方形状をしており、菱形状に、上端部・下端部・左端部・右端部が直角のほぼ角状になる姿勢を基本姿勢としている。なお、その４つの角状の端部は、直角をベースに丸くされている。
そして、この着用タオル１０は、使用者（人間）の身体の大きさに対応した大きさを有している。 
【００１９】
着用タオル１０のおもて面１５Ａはガーゼであり（パイルが形成されていない）、着用タオル１０の裏面１５Ｂにはパイルが形成されている。
【００２０】
着用タオル１０の上端部（正確には、その近傍を含む）には、次のように、首部取り付け部２０が形成されている。
着用タオル１０の上端部（正確には、その近傍）には、ほぼ円形状の首部挿入孔２２が形成されている。そして、着用タオル１０の上端部と首部挿入孔２２との間の部分は、細長い一対の略紐状部２４ａ，２４ｂとされている。
一対の略紐状部（第１略紐状部２４ａ・第２略紐状部２４ｂ）の先端部（正確には、その近傍を含む）同士は重なり合っている。その重なり合った部分において、第１略紐状部２４ａが着用タオル１０としての裏面１５Ｂの側に位置し、第２略紐状部２４ｂが同おもて面１５Ａの側に位置している。
【００２１】
第１略紐状部２４ａの先端部には、ベース部２６ａとともにホック（オス）２５ａが取り付けられている。ベース部２６ａは第１略紐状部２４ａの先端部のうちの裏面１５Ｂの側に位置し、ホック（オス）２５ａは同おもて面１５Ａの側に位置し、両者が第１略紐状部２４ａ（着用タオル１０）を挟んで結合されている。
第２略紐状部２４ｂの先端部には、ベース部２６ｂとともにホック（メス）２５ｂが取り付けられている。ベース部２６ｂは第２略紐状部２４ｂの先端部のうちのおもて面１５Ａの側に位置し、ホック（メス）２５ｂは同裏面１５Ｂの側に位置し、両者が第２略紐状部２４ｂ（着用タオル１０）を挟んで結合されている。
【００２２】
こうして、第１略紐状部２４ａ（ホック（オス）２５ａ）と第２略紐状部２４ｂ（ホック（メス）２５ｂ）とが着脱可能に結合され得る。
その結合状態において、着用タオル１０（すなわち、第１略紐状部２４ａ及び第２略紐状部２４ｂ並びに着用タオル１０のうちの他の部分）は１つの面状となり、平面状とされることによって、ほぼ正方形状となる。
一対の略紐状部（第１略紐状部２４ａ，第２略紐状部２４ｂ）が首部取り付け部２０を構成する。
【００２３】
着用タオル１０の左右の両端部には、結合部３０が形成されている。
すなわち、着用タオル１０の左端部には、ベース部３６ａとともにホック（オス）３５ａが取り付けられている。ベース部３６ａは着用タオル１０の裏面１５Ｂの側に位置し、ホック（オス）３５ａは同おもて面１５Ａの側に位置し、両者が着用タオル１０を挟んで結合されている。
同様にして、着用タオル１０の右端部には、ベース部３６ｂとともにホック（メス）３５ｂが取り付けられている。ベース部３６ｂは着用タオル１０のおもて面１５Ａの側に位置し、ホック（メス）３５ｂは同裏面１５Ｂの側に位置し、両者が着用タオル１０を挟んで結合されている。
ホック（オス）３５ａ及びホック（メス）３５ｂが結合部３０を構成する。
【００２４】
次に、この着用タオル１０の基本的な使用方法及び作用効果について説明する。
すなわち、使用者Ｕは、入浴やシャワー後等において、着用タオル１０を自身の前部に位置づけつつ、ホック（オス）２５ａとホック（メス）２５ｂとが一時的に分離させられて分離状態の一対の略紐状部２４ａ，２４ｂを自身の首部の左右各側から後方に向けて移動させ、首部の後ろ側においてホック（オス）２５ａとホック（メス）２５ｂとを結合させることによって、一対の略紐状部２４ａ，２４ｂを結合させて環状にさせる。こうして、首部挿入孔２２に首部が挿入された状態となる。
次に、着用タオル１０の左右の端部を自身の胴部の左右各側から後方に向けて移動させ、ホック（オス）３５ａとホック（メス）３５ｂとを結合させることによって、結合部３０を結合状態とさせる。
こうして、この着用タオル１０は、使用者Ｕの身体に対して容易に取り付けられる。
【００２５】
こうして、この着用タオル１０によって、使用者Ｕの身体のかなりの部分が覆われることとなる。その際、この着用タオル１０は、前述したように、首部取り付け部２０において使用者Ｕの首部を一巡して当該首部に取り付けられているとともに、結合部３０において使用者Ｕの胴部を一巡して、その左右の両端部が結合されている。このため、着用タオル１０が使用者Ｕの身体から外れることが防止され、着用タオル１０が使用者Ｕの身体を覆った状態で、確実に身体に保持される。
【００２６】
そして、この着用タオル１０の裏面１５Ｂ（使用者Ｕの側の面）にはパイルが形成されているため、使用者Ｕの身体に付着している水分が効率良く吸収される。
また、使用者Ｕは、その着用状態で、乳幼児を好適に抱くことができる。すなわち、この着用タオル１０のおもて面１５Ａ（使用者Ｕの身体の側とは反対側の面）がガーゼであるため、乳幼児に対して優しい肌触りが得られる。
【００２７】
また、他の使用方法として、次のものがある。
すなわち、この着用タオル１０について、表裏を逆にして、首部取り付け部２０において、使用者の首部に取り付ける。結合部３０は分離状態のままとする。
このようにして、この着用タオル１０を使用者の身体の前側に位置づける。
【００２８】
この状態で、この着用タオル１０は、授乳ケープとして好適に使用され得る。すなわち、その状態において、この着用タオル１０の内側の面（使用者の身体の側の面）がガーゼであるため、乳児に対して優しい肌触りが得られる。
【００２９】
その他、この着用タオル１０は、人間が着用せずに、「膝掛け」や「おくるみ」としても使用可能である。
【００３０】
なお、上記のものはあくまで本考案の一実施例にすぎず、当業者の知識に基づき種々の変更を加えた態様で本考案を実施できることはもちろんである。
【００３１】
例えば、上記の着用タオルは、ほぼ正方形状としてのほぼ菱形状をしているが、それに限らず、縦長の菱形状をしていてもよい。
また、菱形状に限らず、大きな縦長のほぼ二等辺三角形状をしていてもよい。
また、縦長の菱形状の上部及び下部を除いた六角形状をしていてもよい。
【符号の説明】
【００３２】
１０  着用タオル
１５Ａ  おもて面
１５Ｂ  裏面
２０  首部取り付け部
２５ａ  ホック（オス）  ２５ｂ  ホック（メス）
３０  結合部
３５ａ  ホック（オス）  ３５ｂ  ホック（メス）
【図１Ａ】
0003215292.tif 000003
【図１Ｂ】
0003215292.tif 000004
【図２】
0003215292.tif 000005
【図３Ａ】
0003215292.tif 000006
【図３Ｂ】
0003215292.tif 000007